(57)【要約】【課題】  眼球から除去した汚れ等の異物が眼球に再付着することを防止することができ、洗浄効果が大きい洗眼容器を提供する。【解決手段】  容器本体１０と、容器本体１０の上部に接合され眼の周縁に密着する当接端部３１を有するガイド部３０とを備え、容器本体１０は、容器本体１０に貯留した洗浄液を噴出する噴出部１１、及び、噴出した洗浄液を収容する異物回収部１２，１２を備え、噴出部１１は、底壁または側壁の少なくともいずれかが可撓性を有することを特徴とする洗眼容器。【選択図】  図１
2006095241.tif 000002
【特許請求の範囲】
【請求項１】
容器本体と、該容器本体の上部に接合され眼の周縁に密着する当接端部を有するガイド部とを備え、
前記容器本体は、該容器本体に貯留した洗浄液を噴出する噴出部、及び、噴出した洗浄液を収容する異物回収部を備え、
前記噴出部は、底壁または側壁の少なくともいずれかが可撓性を有することを特徴とする洗眼容器。
【請求項２】
前記噴出部は、前記洗浄液を貯留可能に構成されている請求項１に記載の洗眼容器。
【請求項３】
前記噴出部は、前記容器本体の略中央に配置されている請求項１又は２に記載の洗眼容器。
【請求項４】
前記異物回収部は、前記噴出部を挟んだ両側にそれぞれ配置されている請求項１から３のいずれかに記載の洗眼容器。
【請求項５】
前記異物回収部は、側壁における前記噴出部及び前記異物回収部の隣接方向に沿った外側部分が、可撓性を有する把持部とされている請求項４に記載の洗眼容器。
【請求項６】
前記異物回収部の側壁は、前記噴出部との間を隔てる部分の肉厚よりも前記把持部の肉厚の方が薄くなるように形成されている請求項５に記載の洗眼容器。
【請求項７】
前記噴出部の側壁における前記噴出部及び前記異物回収部の隣接方向に垂直な方向に沿った両側部分が、可撓性を有する把持部とされている請求項４に記載の洗眼容器。
【発明の詳細な説明】
【技術分野】
【０００１】
本発明は、洗眼容器に関する。
【背景技術】
【０００２】
コンタクトレンズを外した時や、花粉、埃等の異物が眼に入った時等の洗眼に使用される洗眼容器として、例えば、特許文献１に開示されているような洗眼容器が知られている。特許文献１に開示されている洗眼容器は、図８の斜視図に示すように、弾力性樹脂により形成されており、眼の周縁に密着する当接端部１０１を上部に有する容体であり、洗眼容器１００の側壁下部には内部空間を有する弾性変形可能な把持部１０２が設けられている。
【０００３】
このように構成された洗眼容器１００を使用して洗眼を行なうには、まず、洗眼容器１００に洗浄液を注入し、次いで、図９に示すように、顔面１１０を下に向けたままで洗眼容器１００の当接端部１０１を眼の周縁に押し当て、把持部１０２を繰り返し押圧する。把持部１０２の押圧によって、把持部１０２の内部に収容されている洗浄液が噴出して洗眼容器１００内の洗浄液に矢印Ｓで示すような対流を生じさせ、眼球１０５に付着した汚れや、花粉、埃等の異物を洗い流すことにより眼球１０５を洗浄することができる。
【特許文献１】特開２００１−１９０６３５号公報
【発明の開示】
【発明が解決しようとする課題】
【０００４】
しかしながら、特許文献１に開示されている洗眼容器を用いて洗眼を行なった場合、洗浄液の対流により洗い流された異物は、把持部の繰り返しの押圧により生じる対流の流れに乗り、再度、眼球側に向かって流れ眼球に再付着するおそれがあり、洗浄効果が小さいという問題があった。更に、異物が眼球側に流れることによって、眼球を傷つけるおそれもあった。
【０００５】
本発明は、このような問題を解決すべくなされたものであって、眼球から除去した汚れ等の異物が眼球に再付着することを防止することができ、洗浄効果の大きい洗眼容器の提供を目的とする。
【課題を解決するための手段】
【０００６】
本発明の上記目的は、容器本体と、該容器本体の上部に接合され眼の周縁に密着する当接端部を有するガイド部とを備え、前記容器本体は、該容器本体に貯留した洗浄液を噴出する噴出部、及び、噴出した洗浄液を収容する異物回収部を備え、前記噴出部は、底壁または側壁の少なくともいずれかが可撓性を有することを特徴とする洗眼容器により達成される。
【０００７】
この洗眼容器において、前記噴出部は、前記洗浄液を貯留可能に構成されていることが好ましい。また、前記噴出部は、前記容器本体の略中央に配置されていることが好ましい。    
【０００８】
また、前記異物回収部は、前記噴出部を挟んだ両側にそれぞれ配置されていることが好ましい。この構成において、前記異物回収部は、側壁における前記噴出部及び前記異物回収部の隣接方向に沿った外側部分が、可撓性を有する把持部とされていることが好ましい。この場合、前記異物回収部の側壁が、前記噴出部との間を隔てる部分の肉厚よりも前記把持部の肉厚の方が薄くなるように形成されていることがより好ましい。
【０００９】
或いは、前記異物回収部が前記噴出部を挟んだ両側にそれぞれ配置されている構成において、前記噴出部の側壁における前記噴出部及び前記異物回収部の隣接方向に垂直な方向に沿った両側部分が、可撓性を有する把持部とされていることも好ましい。
【発明の効果】
【００１０】
本発明によれば、眼球から除去した汚れ等の異物が眼球に再付着することを防止することができ、洗浄効果の大きい洗眼容器を提供することができる。
【発明を実施するための最良の形態】
【００１１】
以下、本発明の洗眼容器について添付図面を参照して説明する。図１は、本発明の一実施形態に係る洗眼容器を示しており、図１（ａ）は、本発明の一実施形態に係る洗眼容器の平面図、図１（ｂ）は、Ａ−Ａ断面図、図１（ｃ）は、Ｂ−Ｂ断面図である。図１に示すように、洗眼容器１は、柔軟で弾力性に富む可撓性の樹脂により一体成形されており、容器本体１０、被覆部２０及びガイド部３０を備えている。
【００１２】
容器本体１０は、洗浄液を貯留する噴出部１１、及び、噴出された洗浄液を収容する異物回収部１２，１２を備えている。噴出部１１は、容器本体１０の略中央部に設けられており、内周面が平面視長円状に形成されている。
【００１３】
異物回収部１２，１２は、噴出部１１の両側に設けられており、内周面が平面視半月状に形成されている。また、異物回収部１２，１２の側壁１５，１５において、噴出部１１及び異物回収部１２，１２の隣接方向に沿った外側部分が、洗眼容器１を把持押圧するための把持部１３，１３を構成している。
【００１４】
被覆部２０は、筒状に形成されており、洗眼容器１を机上等に安定して載置することができるよう下端は、同一平面上に形成されている。
【００１５】
ガイド部３０は、容器本体１０の上部周縁に接合して形成されており、平面視略楕円形状の当接端部３１を上部周縁に備えている。当接端部３１の側面視形状は、図１（ｃ）の断面図に示すように、使用者の目の周縁形状に合せるため、中央部が下方に湾曲する滑らかな曲線形状に形成されると共に、目尻側頂点３２が目頭側頂点３３よりも高くなるように形成されている。また、ガイド部３０の周壁部３４は、上方に向かって外側に拡がるフレア状に形成されている。
【００１６】
洗眼容器１を形成する可撓性の樹脂は、柔軟で弾力性に富む材質であれば特に限定されず、例えば、シリコンゴム、ブチルゴム、低密度ポリエチレン、エチレン‐酢酸ビニル共重合体又は低密度ポリエチレンとエチレン‐酢酸ビニル共重合体の混合物等を用いることができる。
【００１７】
次に、本実施形態に係る洗眼容器１を使用して洗眼を行なう方法について説明する。洗眼を行なうには、まず、洗眼容器１に所定量の洗浄液を注いだ後、ガイド部３０の当接端部３１の目尻側頂点３２を目尻側に、目頭側頂点３３を目頭側となるようにして容器本体１０を手指で支持しながら、顔面を下に向けたままで、当接端部３１を眼の周縁に押し当てる。ガイド部３０は、可撓性の樹脂により形成されているため、眼の周縁に当接端部３１を押し当てる押圧力を適宜調節することにより、使用者の眼の周縁形状に密着する最適な状態に調整することができる。
【００１８】
次いで、眼を開けた状態のままで、被覆部２０を介して把持部１３，１３を押圧する。この押圧により、噴出部１１が変形し、噴出部１１内の洗浄液が眼球側に押し出される。そして、把持部１３，１３の押圧を解除することにより、噴出部１１は弾性復元力により元の形状に戻る。これにより、図２の矢印Ｔで示すように、洗眼容器１内において、噴出部１１から眼球４０側、次いで周壁部３４側を通過し噴出部１１の上部に戻る洗浄液の対流を生じさせることができ、眼球４０に付着した汚れや、花粉、埃等の異物は洗い流される。
【００１９】
洗い流された異物は、容器内の洗浄液の流れに乗って、容器の周壁部３４側を通過し、重力の作用により異物回収部１２，１２の底部１４に沈殿する。また、洗浄液は異物回収部１２，１２に収容されると共に、噴出部１１にも再び貯留される。このような把持部１３，１３の押圧及びその解除を繰り返すことによって洗眼を行なう。
【００２０】
異物回収部１２，１２の底部１４，１４は、噴出部１１の押圧により生じる対流領域と離れているため、対流の流れの影響をほとんど受けることはない。したがって、異物回収部１２，１２の底部１４，１４に沈殿収容された異物が、対流の流れに乗って異物回収部１２，１２から流出することを防止することができる。
【００２１】
また、被覆部２０を介して把持部１３，１３を押圧することにより、図３に示すように、異物回収部１２，１２が変形し上部開口を閉塞させるため、異物回収部１２，１２の底部１４，１４に沈殿した埃等の異物が眼球側に流れ出ることを防止することができる。
【００２２】
このように、本実施形態の洗眼容器１によれば、洗浄液の対流により一端洗い流された異物を確実に異物回収部１２，１２に収容することができ、眼球側に流れ出ることを防止することができる。したがって、異物が眼球に再付着することや、異物による眼球の損傷を確実に防止することができ、確実な洗眼を行なうことができる。
【００２３】
ここで、把持部１３，１３を構成している部分の異物回収部１２，１２の肉厚は、異物回収部１２，１２と噴出部１１との間を隔てる部分の肉厚よりも薄いことが好ましい。このような構成により、被覆部２０を介して把持部１３，１３を押圧した場合、異物回収部１２，１２は、噴出部１１よりも変形しやすくなるため、異物回収部１２，１２を押圧変形させて上部開口を確実に閉塞させた後に、噴出部１１を押圧変形させて噴出部１１内部の洗浄液を押し出すことができる。したがって、異物回収部１２，１２の底部１４，１４に沈殿した埃等の異物が眼球側に流れ出ることを確実に防止することができる。
【００２４】
以上、本発明の一実施形態について説明したが、本発明の具体的な態様は上記実施形態に限定されない。例えば、図４に示すように、異物回収部１２，１２の内周面上に複数の突状部１７を設けてもよい。このような構成により、異物回収部１２，１２の底部１４，１４に沈殿した異物が把持部の押圧により上昇しても、突状部１７で捕獲することができるので、異物回収部１２，１２から異物が流出することを確実に防止することができる。
【００２５】
また、本実施形態において、図１に示すように、噴出部１１及び異物回収部１２，１２の隣接方向に沿った異物回収部１２，１２の側壁１５，１５の外側部分を把持部１３，１３としているが、例えば、図５に示すように、噴出部１１及び異物回収部１２，１２の隣接方向に垂直な方向に沿った噴出部１１の側壁の両側部分を把持部１３，１３としてもよい。これにより、被覆部２０を介した把持部１３，１３の押圧により、異物回収部１２，１２を変形させることなく、噴出部１１内の洗浄液を眼球側に押し出すことができ、異物回収部１２，１２からの異物の流出を確実に防止することができる。
【００２６】
また、本実施形態においては、噴出部１１の両側に異物回収部１２，１２を配置しているが、異物回収部１２，１２は、眼球から除去した異物を効率よく収容できるように噴出部１１に隣接して配置されていればよく、例えば、図６に示すように、噴出部１１の水平断面形状を略十文字形状となるように形成し、当該噴出部１１に隣接して異物回収部１２，１２，１２，１２を配置してもよい。このような構成により、被覆部２０を介した把持部１３，１３の押圧により、異物回収部１２，１２を変形させることなく、噴出部１１内の洗浄液を眼球側に押し出すことができ、異物回収部１２，１２，１２，１２からの異物の流出を確実に防止することができる。
【００２７】
また、図７に示すように、異物回収部１２の水平断面形状をリング状に形成して、噴出部１１の周囲に配置してもよい。このような構成により、広い範囲で確実に埃等の異物を回収することができる。また、被覆部２０を介した把持部１３，１３の押圧により、異物回収部１２の上部開口を閉塞させることができるため、異物回収部１２の底部に沈殿した異物が、異物回収部１２から流出することを防止することができる。
【００２８】
また、本実施形態において、洗眼容器１は一体成形により形成されているが、洗眼容器１を構成する噴出部１１、異物回収部１２，１２、被覆部２０及びガイド部３０をそれぞれ別体により形成して、組み立てることにより洗眼容器１を形成してもよい。
【図面の簡単な説明】
【００２９】
【図１】本発明の一実施形態に係る洗眼容器を示す（ａ）平面図、（ｂ）Ａ−Ａ断面図、及び（ｃ）Ｂ−Ｂ断面図である。
【図２】本発明に係る洗眼容器の使用説明図である。
【図３】本発明に係る洗眼容器の使用説明図である。
【図４】本発明に係る洗眼容器の他の実施例を示す要部断面図である。
【図５】本発明に係る洗眼容器の他の実施例を示す平面図である。
【図６】本発明に係る洗眼容器の他の実施例を示す平面図である。
【図７】本発明に係る洗眼容器の他の実施例を示す平面図である。
【図８】従来の洗眼容器を示す斜視図である。
【図９】従来の洗眼容器の使用説明図である。
【符号の説明】
【００３０】
１    洗眼容器
１０  容器本体
１１  噴出部
１２  異物回収部
１３  把持部
１４  底部
１５  側壁
１６  側壁
１７  突状部
２０  被覆部
３０  ガイド部
３１  当接端部
３２  目尻側頂点
３３  目頭側頂点
３４  周壁部
４０  眼球
【図１】
2006095241.tif 000003
【図２】
2006095241.tif 000004
【図３】
2006095241.tif 000005
【図４】
2006095241.tif 000006
【図５】
2006095241.tif 000007
【図６】
2006095241.tif 000008
【図７】
2006095241.tif 000009
【図８】
2006095241.tif 000010
【図９】
2006095241.tif 000011